(57)【特許請求の範囲】
【請求項１】
鋼製仮設梁のビーム部分やＨ型鋼のフランジ（以下「鋼製仮設梁のビーム等」と言う）に単管パイプ（以下「単管」と言う）を取り付けるための単管取付用座であって、
短い単管と、その両端に固定された２枚の板材を有し、
該２枚の板材それぞれに、該単管取付用座を該鋼製仮設梁のビーム等の上に載置したときに、該鋼製仮設梁のビーム等を抱え込む形の突起を有する下向きのＡ突出部と、該鋼製仮設梁のビーム等を該Ａ突出部に押しつけて固定する止めねじを有する下向きのＢ突出部とが設けられた単管取付用座。
【請求項２】
請求項１記載の単管取付用座を鋼製仮設梁のビーム等に固定し、前記短い単管に２連の直交単管クランプ、あるいは、自在単管クランプ（以下「２連単管クランプ」と言う）を用いて単管を取付け、該取り付けられた単管に足場板を固定して、作業用の床（以下「作業床」と言う）を構築する方法。
【発明の詳細な説明】
【技術分野】
【０００１】
本発明は、鋼製仮設梁のビーム部分やＨ型鋼のフランジ（以下「鋼製仮設梁のビーム等」と言う）に単管パイプ（以下「単管」と言う）を取り付ける治具、および、それを用いて作業用の床（以下「作業床」と言う）を構築する方法に関するものである。
【背景技術】
【０００２】
建設工事に携わる作業員にとって、単管同士を２連の直交単管クランプ、あるいは、２連の自在単管クランプ（以下「２連単管クランプ」と言う）でつなぎ合わせ、そこに足場板を固定して足場を構築することは、まず最初に身につけるべき極めて基本的な技能であり、全員が習熟している技能と言っても過言ではない。
【０００３】
一方、建設工事の途中段階や改造工事にあっては、既に建設された建造物のＨ形鋼で出来た梁を利用して、その梁のフランジに単管を取付け、その単管に足場板を固定して作業床を設けることが、しばしば行われる。作業床は、重量物である資材の保管場所やその搬出入の通路としても利用されるので、建造物の梁にしっかりと荷重をかけられる丈夫な床が望ましいからである。
【０００４】
Ｈ形鋼の梁に単管を取り付けるためには、特許文献１あるいは特許文献２に記載されているように、鉄骨クランプと単管クランプを組み合わせた治具が種々考えられている。しかし、これらの治具は、作業員全員が習熟している２連単管クランプとはいささか異なるものである。また、一本のボルトの締め付け力だけでＨ形鋼のフランジ部を把持するものであるから確実性に不安が残る。
【０００５】
Ｈ形鋼で出来た梁の間隔が広くて、足場板を支える単管を直接掛け渡したのでは強度が不足するときには、そのＨ形鋼の梁の上に、適切な間隔を空けて別のＨ形鋼等の鋼材を掛け渡して、その上に単管を並べ、足場板を敷設するのが普通であるが、単管の固定には上述の場合と同じ問題がある。また、追加となる鋼材の重量がかさみ不経済であり、施工性も良くない。
【０００６】
Ｈ形鋼の梁に掛け渡す鋼材に替えて、コンクリート型枠支持梁として使用される鋼製仮設梁（「ペコビーム（登録商標）」などと呼称される）を使用する場合があるが、この鋼製仮設梁のビームに単管を取り付ける治具は市場に見当たらず、取り付ける方法について公開された文献は見当たらない。特許文献３に記載されたチェーンを用いて単管を梁へ固定する治具なら鋼製仮設梁のビームにも適用が可能であろうが、これも、作業員全員が習熟している技能とはいささか異なる。また、チェーンを介するために完全に固定した足場の構築には不向きであるうえに、単管にかかる荷重を上から直接的にビームにかけるものではないので、作業床として確実性に不安が残る。
【先行技術文献】
【特許文献】
【０００７】
【特許文献１】登録実用新案第３０００７３３号公報
【特許文献２】特開平１１−１２５００２号公報
【特許文献３】実開平５−２４７９２号公報
【非特許文献】
【０００８】
【非特許文献１】無し
【発明の概要】
【発明が解決しようとする課題】
【０００９】
そこで本発明が解決しようとする課題は、既に建設された建造物のＨ形鋼で出来た梁のフランジ、あるいは、その梁に架け渡された鋼材のフランジや鋼製仮設梁のビーム（以下「鋼製仮設梁のビーム等」と言う）の上に、作業員が習熟している技能のみを用いて、しっかりとした作業床を設けるのに適切な治具と、それを用いた作業床を構築する方法を提供することである。  
【課題を解決するための手段】
【００１０】
上記課題を解決する本発明は、鋼製仮設梁のビーム部分やＨ型鋼のフランジ（以下「鋼製仮設梁のビーム等」と言う）に単管パイプ（以下「単管」と言う）を取り付けるための単管取付用座であって、
短い単管と、その両端に固定された２枚の板材を有し、
該２枚の板材それぞれに、該単管取付用座を該鋼製仮設梁のビーム等の上に載置したときに、該鋼製仮設梁のビーム等を抱え込む形の突起を有する下向きのＡ突出部と、該鋼製仮設梁のビーム等を該Ａ突出部に押しつけて固定する止めねじを有する下向きのＢ突出部とが設けられた単管取付用座である。
【００１１】
本発明は作業床を構築するための単管（以下「作業床構築用単管」と言う）を鋼製仮設梁のビーム等に取り付けるための座であって、その作業床構築用単管を２連単管クランプを用いて固定するための短い単管を有している。その短い単管は、２連単管クランプを用いた固定作業が支障なく行える長さがあればよい。
【００１２】
短い単管の両端には２枚の板材が溶接等により固定され、その２枚の板材はそれぞれ、鋼製仮設梁のビーム等を抱え込む形の突起を有する下向きのＡ突出部と、該鋼製仮設梁のビーム等を該Ａ突出部に押しつけて固定する止めねじを有する下向きのＢ突出部とが設けられている。
【００１３】
言い換えれば、その２枚の板材にはそれぞれ、単管取付用座を鋼製仮設梁のビーム等の上に載置するように下向きコの字型の開口が設けてあり、コの字型の開口の両側を構成する下向きの２本の突出部が、ここで言うＡ突出部とＢ突出部である。単管取付用座を鋼製仮設梁のビーム等の上に安定して載置出来るようにするには、両板材のコの字型の開口の上端部は、短い単管の中心からほぼ等距離で、かつ、互いに平行であることが望ましい。
【００１４】
単管取付用座を上方から鋼製仮設梁のビーム等に近づけて、それを跨ぐように載せるためには、コの字型の開口の巾は、鋼製仮設梁のビーム等がＡ突出部の先端の突起をかわして容易に中にはいるように設定する。Ａ突出部の突起をかわして単管取付用座を鋼製仮設梁のビーム等の上に載置したら、あとはＢ突出部に設けられた止めねじを使って、単管取付用座を鋼製仮設梁のビーム等にしっかりと固定する。
【００１５】
固定が完了したら、単管取付用座の短い単管に２連単管クランプを用いて作業床構築用単管を取り付ける。すなわち、単管取付用座の短い単管が、作業床構築用単管取付の基点になる。２連単管クランプを用いて作業床構築用単管をこの単管取付用座に取り付ける作業、及び、その後の作業はすべて作業員が習熟している技能のみを用いて行うことができる。
【００１６】
単管取付用座は、鋼製仮設梁のビーム等に上に安定して載置されているので、作業床構築用単管にかけられた荷重は、２連単管クランプを介して上から単管取付用座の短い単管に伝えられ、さらに２枚の板材を通して鋼製仮設梁のビーム等に上から下に向かって伝達される。したがって、その上に保管され、あるいは、その上を搬出入される重量物等の荷重をしっかりと受け止める丈夫な作業床を構築できる。
【００１７】
一本のボルトの締め付け力だけでＨ形鋼のフランジ部を把持する鉄骨クランプを用いるのとは異なり、たとえ、Ｂ突出部に設けられた止めねじが多少ゆるんだとしても、単管取付用座そのものが鋼製仮設梁のビーム等からはずれるおそれが無い。しかも、単管取付用座は水平な鋼製仮設梁のビーム等の上に設置され、作業床から受ける力は基本的に上から下に向かって伝達されるので、単管取付用座の位置がずれることも少なく、作業床構築用単管を取付ける極めて安定した基点となる。
【００１８】
また、上記課題を解決する本発明は、請求項１記載の単管取付用座を鋼製仮設梁のビーム等に固定し、前記短い単管に２連単管クランプを用いて単管を取付け、該取り付けられた単管に足場板を固定して、作業床を構築する方法である。
【００１９】
鋼製仮設梁のビーム等に固定された単管取付用座の短い単管を基点として、２連単管クランプを用いて作業床構築用単管を取り付けて固定し、その作業床構築用単管に足場板を固定して作業床を構築する。ここで使われるのは、作業員全員が習熟している単管同士を２連単管クランプでつなぎあわせ、そこに足場板を固定して足場を構築する技能のみである。習熟している技能のみを用いて作業を行えると言うことは、作業の効率と安全性の向上に寄与する。
【００２０】
また、上述のように、基点となる短い単管を有する単管取付用座は、極めて高い信頼性を持って鋼製仮設梁のビーム等に固定されているから、この面からも、作業床構築作業は安全に、かつ、効率よく行われ、信頼性の高い丈夫な作業床を作り出すことが出来る。
【発明の効果】
【００２１】
本発明の鋼製仮設梁のビーム等への単管取付用座を用いることにより、鋼製仮設梁のビーム等の上に、作業員が習熟している技能のみを用いて作業床を構築することができる。そのようにして構築された作業床にかかる荷重は単管取付用座を介して鋼製仮設梁のビーム等へ真上からかかるので、信頼性が高い丈夫な作業床を構築することが出来る。さらに、単管取付用座の鋼製仮設梁のビーム等への固定は、極めて容易であり、かつ、ずれたり、はずれたりすることが無く、極めて高い信頼性を持っているので確実である。
【００２２】
また、本発明の作業床構築方法を用いることにより、単管同士を２連単管クランプでつなぎあわせ、そこに足場板を固定すると言う、作業員全員が習熟している技能のみを使って作業床を構築できるので、作業の効率と安全性の向上に寄与する。また、単管取付用座は、極めて高い信頼性を持って鋼製仮設梁のビーム等に固定されているから、この面からも、作業床構築作業は安全に、かつ、効率よく行われる。
【図面の簡単な説明】
【００２３】
【図１】本発明の単管取付用座の実施例１の正面図（ａ）と側面図（ｂ）である。
【図２】その単管取付用座を用いて作業床構築用単管を固定し、その単管に足場板を取り付けた状態を示す斜視図である。
【図３】本発明の単管取付用座の実施例２の側面図である。
【図４】本発明の作業床構築方法を示す説明図である。
【発明を実施するための形態】
【００２４】
本発明の実施の形態について図面を参照しながら説明をする。なお、本発明はかかる実施の形態には限定されず、本発明の範囲内でその具体的構造に種々の変更を加えて良いことは言うまでもない。
【実施例１】
【００２５】
図１は本発明の実施例１の単管取付用座１の正面図（ａ）とその側面図（ｂ）、図２はその単管取付用座１を用いて作業床構築用単管１１を鋼製仮設梁のビーム部分１２に固定しその作業床構築用単管に足場板１３を取り付けた状態を示す斜視図である。
【００２６】
実施例１の単管取付用座１は、２連単管クランプ１４を用いて作業床構築用単管１１を固定する短い単管２と、その短い単管の両端に溶接等により固定された２枚の板材３から成っており、その２枚の板材はそれぞれ、鋼製仮設梁のビーム部分１２を抱え込む形の突起７を有する下向きのＡ突出部４と、その鋼製仮設梁のビーム部分をＡ突出部に押しつけて固定する止めねじ８を有する下向きのＢ突出部５とが設けられている。
【００２７】
図１（ｂ）からわかるように、２枚の板材にはそれぞれ、単管取付用座１を鋼製仮設梁のビーム部分１２の上に載置出来るように下向きコの字型の開口６が設けてあり、コの字型の開口６の両側を構成する下向きの２本の突出部が、ここで言うＡ突出部とＢ突出部である。
【００２８】
単管取付用座１を上方から鋼製仮設梁のビーム部分１２に近づけて、それを跨ぐように載せるためには、コの字型の開口６の巾は、鋼製仮設梁のビーム部分１２がＡ突出部４の先端の突起７をかわして容易に中にはいるように設定する。Ａ突出部の突起７をかわして単管取付用座１を鋼製仮設梁のビーム部分１２の上に載置したら、あとはＢ突出部に設けられた止めねじ８を使って、単管取付用座１を鋼製仮設梁のビーム部分１２にしっかりと固定する。
【００２９】
固定が完了したら、短い単管２に２連単管クランプ１４を用いて作業床構築用単管１１を取り付ける。すなわち、単管取付用座の短い単管２が、作業床構築用単管取付の基点になる。あとは、作業床構築用単管１１に足場板１３を固定すればよい。
【００３０】
基点となる短い単管２に２連単管クランプ１４を用いて作業床構築用単管１１を取り付ける作業は、まさに作業員誰でもが習熟している技能である。その作業床構築用の単管に足場板１３を固定する作業もまた、作業員誰もが習熟している技能である。すなわち、作業員が習熟している技能のみを用いて作業床を構築することができる。
【００３１】
なお、図２では、作業床構築用単管１１に足場板１３を固定するに当たって番線１５を用いて固縛しているが、公開実用新案平１−１６３６４２号公報に記載されている「足場板固定金具」等の治具を用いても良い。いずれにせよ、作業員が習熟している方法をとることが肝要である。
【００３２】
また、図１と図２は、鋼製仮設梁の外ビームのビーム部分に単管取付用座１を取り付けた様子を示している。鋼製仮設梁は、図４に示すように外ビーム１６と内ビーム１８を組み合わせた構造になっており、仮設するスパンに合わせて全体の長さを調節できるように外ビームのビーム部分１７に内ビームのビーム部分１９がはめ込まれてスライドできる構造になっている。したがって、外ビームのビーム部分１７と内ビームのビーム部分１９では、後者が前者に比べてやや小さい寸法となるが、それぞれの寸法の合わせて単管取付用座を制作しても良いし、外ビームのビーム部分用に制作した単管取付用座の止めねじ８を締め込んで、内ビームのビーム部分１９に対応しても良い。
【実施例２】
【００３３】
図３は、本発明の実施例２の単管取付用座１ａの側面図である。実施例１と同じ機能を有し、ほぼ同じ形態を有する構成要素には、理解を容易にするために同じ名称と同じ付番を使用して説明する。
【００３４】
この単管取付用座１ａは、Ｈ型鋼２０のフランジ２１上に載置するためのものであり、その主要な構成は実施例１の単管取付用座１と変わらない。作業床構築用の単管を固定する短い単管２と、その短い単管の両端に溶接等により固定された２枚の板材３から成っており、その２枚の板材はそれぞれ、Ｈ型鋼２０のフランジ２１を抱え込む形の突起７を有する下向きのＡ突出部４と、そのフランジ２１をＡ突出部に押しつけて固定する止めねじ８を有する下向きのＢ突出部５とが設けられている。単管取付用座１ａの正面図は、図１（ａ）とほぼ変わらないので省略した。
【００３５】
この単管取付用座１ａは、既に建設された建造物のＨ形鋼で出来た梁のフランジ、あるいは、その梁の上に架け渡された鋼材のフランジに用いられるので、Ａ突出部４とＢ突出部５で形成される下向きコの字型の開口６の寸法は、設置対象となるＨ型鋼のフランジ２１の寸法に対応して決定される。ほぼ寸法が固定されている鋼製仮設梁のビーム部分に比べ、Ｈ形鋼のフランジの寸法は多種類に及ぶので、使用対象となるＨ形鋼の寸法に合わせて単管取付用座１ａの寸法も多種類になろう。
【実施例３】
【００３６】
図４は、本発明の作業床構築方法を示す説明図である。このケースでは、柱２４、梁２５、２６、２７等からなる既設の建造物があって、その梁２５とその手前側に梁２５に並行して走る梁（図示されていない）の間の空間に作業床を設けようとしている。
【００３７】
しかし、梁２５とそれに並行して走る梁との間隔が広く、その間に単管を掛け渡したのでは作業床にかかる荷重を支えきれないので、本実施例では梁２５に平行して鋼製仮設梁２８を設置している。必要とされる作業床の広さに応じて、１本だけでなく、数本の鋼製仮設梁を平行して設けても良い。
【００３８】
鋼製仮設梁２８は、外ビーム１６のビーム部分１７に内ビーム１８のビーム部分１９がはめ込まれてスライドできる構造になっており、掛け渡される梁間のスパンに合わせてその長さを調節し、端部に設けられた爪部１６ａにより、しっかりと梁２７に固定できる。なお、内ビーム１８の端部（図示されていない）にも、外ビームと同様な爪部が設けられており、図４の右方向に梁２７と平行して走る梁（図示されていない）にその爪部によってしっかりと固定される。
【００３９】
足場板１３の長さを考えて作業床構築用単管１１の配置を決め、それを固定する位置に単管取付用座を配置する。鋼製仮設梁２８の上には実施例１の単管取付用座１を、Ｈ形鋼の梁２５の上には実施例２の単管取付用座１ａを配置し、それぞれのＢ突出部の止めねじを使って、しっかりと固定する。
【００４０】
これらの単管取付用座１、１ａに、２連単管クランプを用いて作業床構築用単管１１を取付け、その上に足場板１３を並べ、番線１５などの固定手段で作業床構築用単管１１と足場板１３を固定すれば、しっかりとした作業床が構築できる。
【００４１】
ここで使われるのは、作業員全員が習熟している単管同士を２連単管クランプでつなぎあわせ、そこに足場板を固定して足場を構築する技能のみである。習熟している技能のみを用いて作業を行えると言うことは、作業の効率と安全性の向上に寄与する。
【００４２】
また、単管取付用座１、１ａは、極めて高い信頼性を持って鋼製仮設梁のビーム等に固定されているから、この面からも、作業床構築作業は安全に、かつ、効率よく行われ、信頼性の高い丈夫な作業床を作り出すことが出来る。
【符号の説明】
【００４３】
１、１ａ    単管取付用座
２        単管取付用座の短い単管
３        同  ２枚の板材
４        同  Ａ突出部
５        同  Ｂ突出部
６        同  下向きコの字形開口
７        Ａ突出部の突起
８        Ｂ突出部の止めねじ
１１        作業床構築用単管
１２        鋼製仮設梁のビーム
１３        足場板
１４        ２連単管クランプ
１５        番線
１６        鋼製仮設梁の外ビーム  
１７        外ビームのビーム部分
１８        鋼製仮設梁の内ビーム
１９        内ビームのビーム部分
２４        既設建造物の柱
２５、２６、２７    既設建造物の梁
２８        鋼製仮設梁
【図１】
0006327985.tif 000002
【図２】
0006327985.tif 000003
【図３】
0006327985.tif 000004
【図４】
0006327985.tif 000005